【手続補正書】
【提出日】平成19年9月13日(2007.9.13)
【手続補正１】
【補正対象書類名】明細書
【補正対象項目名】特許請求の範囲
【補正方法】変更
【補正の内容】
【特許請求の範囲】
【請求項１】  少なくとも１種のモーターもしくは航空ガソリン添加剤、および少なくとも８１のモーターオクタン価（ＭＯＮ）と少なくとも９１のリサーチオクタン価（ＲＯＮ）とを有する鉛除去配合組成物を有し、該配合組成物は：
少なくとも１種の分枝鎖炭化水素Ａが全部で少なくとも１５容量％の配合組成物であり、最少で少なくとも１０容量％の少なくとも１種の個々の化合物Ａが存在し、化合物Ａは４、５または６個のメチルもしくはエチル分枝鎖を伴って８〜１２個の炭素原子のアルカンである成分（ａ）：と、
少なくとも７０のＭＯＮ値と少なくとも９０のＲＯＮ値とを有するｂｐ６０〜１６０℃の少なくとも１種の液体炭化水素もしくはその混合物の成分（ｂ）であって、全量が少なくとも２０％である少なくとも１種の成分（ｂ）とを含む鉛除去配合組成物であることを特徴とする少なくとも８０のＭＯＮと９０〜１１５のＲＯＮの処方鉛除去ガソリン。
【請求項２】  少なくとも１種の分枝鎖炭化水素には、炭素骨格鎖の２位置に存在する少なくとも１対のゲミナルメチル分枝鎖が存在する請求項１に記載のガソリン。
【請求項３】  少なくとも１種の分枝鎖炭化水素には、２対もしくは３対のゲミナル分枝鎖が存在し、少なくとも２対の隣接炭素原子に位置する請求項２に記載のガソリン。
【請求項４】  少なくとも１種の分枝鎖炭化水素には１対、２対もしくは３対のゲミナルメチル分枝鎖置換基が４〜６炭素鎖骨格に存在し、エチルＣＭｅ２構造が存在すれば化合物中に２個のエチルＣＭｅ２基が存在する請求項１に記載のガソリン。
【請求項５】  少なくとも１種の分枝鎖炭化水素には、骨格鎖に１個のゲミナルメチル分枝基が存在すると共に、骨格鎖の隣接炭素原子の一方または両方には１個もしくは２個のメチルもしくはエチル分枝鎖、特に１個もしくは２個のメチル分枝鎖が存在する請求項１に記載のガソリン。
【請求項６】  少なくとも１種の分枝鎖炭化水素には１対、２対もしくは３対のゲミナルメチル分枝鎖が骨格鎖に存在すると共に、２対もしくは３対のゲミナル対が存在すれば、少なくとも２対が隣接骨格炭素原子に存在し、さらに１個のみのゲミナル対が存在すればこれらは骨格炭素鎖の２−位置に存在し、メチル分枝鎖が少なくとも骨格炭素鎖の３−位置に存在する請求項１に記載のガソリン。
【請求項７】  前記少なくとも１種の分枝鎖炭化水素が２対もしくは３対のゲミナルメチル分枝鎖を有し、少なくとも２対が隣接炭素原子に存在すると共に化合物が対称構造を有する請求項１に記載のガソリン。
【請求項８】  少なくとも１種の分枝鎖炭化水素が４個もしくは６個の炭素原子の線状骨格鎖を有すると共に、４〜６個のメチル分枝鎖を少なくとも１個のゲミナル基に特に骨格における１，２−エチル基の不存在下に有する請求項１に記載のガソリン。
【請求項９】  少なくとも１種の分枝鎖炭化水素が５個もしくは６個の炭素原子の線状骨格を有すると共に少なくとも１個のゲミナル基に４〜６個の分枝鎖を有し、ただし４個のメチル分枝鎖が存在しかつ化合物がエチルＣＭｅ２基を含有すれば化合物は２個のこの種のエチルＣＭｅ２基を含有する請求項１に記載のガソリン。
【請求項１０】  少なくとも１種の分枝鎖炭化水素がゲミナルメチル分枝鎖を伴って１個、２個もしくは３個の炭素原子を有し、１個のみのこの種の炭素原子がゲミナルメチル分枝鎖を伴って存在すれば１個もしくは２個の分枝鎖がゲミナル分枝鎖に対し隣接炭素原子に存在すると共に、骨格鎖におけるエチル−Ｃ−連鎖基が５個の炭素原子を有する請求項１に記載のガソリン。
【請求項１１】  少なくとも１種の分枝鎖炭化水素が隣接内部炭素原子にアルキル置換基を有するアルカンであって全部で４個、５個もしくは６個の炭素原子を前記置換基に有する請求項１に記載のガソリン。
【請求項１２】  少なくとも１種の分枝鎖炭化水素がメチルもしくはエチル以外の分枝基を持たない請求項１に記載のガソリン。
【請求項１３】  少なくとも１種の分枝鎖炭化水素が炭素原子の骨格鎖を有し、ここでｎ−プロピルもしくはｎ−ブチル基が骨格鎖の部分を形成しない請求項１に記載のガソリン。
【請求項１４】  前記炭化水素が３，３，４，４−テトラメチルヘキサン、２，２，３，３−テトラメチルブタン、２，２，３，３−テトラメチルペンタン、２，２，３，３，４−ペンタメチルペンタン、２，２，３，４，４−ペンタメチルペンタン、２，３，３，４−テトラメチルペンタン、２，２，３，４−テトラメチルペンタン、２，２，３，３，４，４−ヘキサメチルペンタンおよび２，２，４，４，６−ペンタメチルヘプタンの少なくとも１種、特に２，２，３，３−テトラメチルブタン、３，３，４，４−テトラメチルヘキサンおよび２，２，３，３−テトラメチルペンタンの少なくとも１種、特に好ましくは２，２，３，３−テトラメチルブタンおよび３，３，４，４−テトラメチルヘキサンの少なくとも１種である請求項１に記載のガソリン。
【請求項１５】  ガソリンが、成分（ｄ）として５〜１０個の炭素原子を有する液体アルケンである少なくとも１種のオレフィンをさらに含む請求項１〜１４のいずれか一項に記載のガソリン。
【請求項１６】  ガソリンが、成分（ｅ）として少なくとも１種の芳香族化合物をさらに含む請求項１〜１５のいずれか一項に記載のガソリン。
【請求項１７】  芳香族化合物の含量が４２％未満である請求項１６に記載のガソリン。
【請求項１８】  ガソリンが、成分（ｆ）として少なくとも１種のオキシゲネート・オクタン・ブースターをさらに含む請求項１〜１７のいずれか一項に記載のガソリン。
【請求項１９】  ガソリン組成物が９０〜１１５のＲＯＭ値と、８５〜１０５のＭＯＮ値と、３５％未満の芳香族含有量と、最大１４％のオレフィン含有量と、１％未満のベンゼンとを有し、７０℃にて蒸発する比率が１０〜４０％であり、１００℃にて蒸発する比率が４０〜７４％であり、１５０℃にて蒸発する比率が７０〜９９．５％であり、さらに４０〜６０ｋＰａのＲＶＰを有する請求項１〜１６のいずれか一項に記載のガソリン。
【請求項２０】  分枝鎖炭化水素が９個もしくは１０個の炭素原子のアルカンであれば、配合組成物が全部で５％未満の２，２，３−トリメチルペンタンおよび２，２，３−トリメチルブタンを含有する請求項１〜１９のいずれか一項に記載の鉛除去ガソリン。
【請求項２１】  １種もしくはそれ以上の添加剤が存在すると共に、アミノ型もしくはフェノール型の酸化防止剤、腐食抑制剤、グリコールエーテルもしくはアルコールである固化防止添加剤、クエン酸イミド、ポリアルキレンアミンもしくはポリエーテルアミン型のエンジン洗浄添加剤および両性表面活性剤である静電気防止添加剤、チオアミド型の金属失活剤、有機燐化合物である表面着火抑制剤、有機酸のアルカリ金属およびアルカリ土類金属塩または高級アルコールの硫酸モノエステルである燃焼向上剤、アルカリ金属化合物であり、且つスルホコハク酸塩を含むカルボン酸塩もしくは硼酸塩のナトリウムもしくはカリウム塩である抗弁座リセッション添加剤、およびアゾ染料である着色剤よりなる群から選択される請求項１〜１８のいずれか一項に記載のガソリン。
【請求項２２】  少なくとも１種の酸化防止剤と少なくとも１種の洗浄添加剤との組合せが存在する請求項２１に記載のガソリン。
【請求項２３】  たとえば１種もしくはそれ以上のヒンダードフェノールのような酸化防止剤、たとえばフェノールヒドロキシル基に対し一方もしくは両方のオルト位置にｔ−ブチル基を有するものが存在する請求項２２に記載のガソリン。
【請求項２４】  少なくとも８０のＭＯＮと９０〜１１５のＲＯＮとの鉛除去ガソリン燃料の燃焼に際し排気ガスの放出を減少させる方法において、燃料は請求項１〜２３のいずれか一項に記載の処方鉛除去ガソリンであり前記ガソリン中に少なくとも１０容量％の成分（ａ）を存在させることからなる排気ガスの放出の減少方法。
【請求項２５】  ガソリンが鉛除去モーターガソリンである請求項２４に記載の方法。
【請求項２６】  ガソリンが鉛除去航空ガソリンである請求項２４に記載の方法。